(57)【要約】【課題】柄に大きな支持力を与え易く、取り扱い易くし、犯人捕獲時の労力的負担を小さくし、犯人の生命に危険がないようにする。【解決手段】柄３の筒内に一端を固着した引張りばね１１を収容し、その引張りばね１１の他端を足掛部２と柄３の筒内に収納した連結用ばね１４の一端に結合し、その連結用ばね１４の他端を足掛部２に収容した閉鎖用円弧棒状体９の基端部寄りの部分に固着する。そして、その足掛部２に引張りばね１１の引張力に抗し、足入れ口６を開放して閉鎖用円弧棒状体９をロックし、その足掛部２に、足が掛かったときにロックが外れ、閉鎖用円弧棒状体９にて足入れ口６を閉鎖する足入れ口開閉操作手段１７を備える。【選択図】図１
2005042997.tif 000002
【特許請求の範囲】
【請求項１】
先端部付近を円弧状に曲げて、足入れ用の内部空間を有する足掛部を形成し、その他の部分を柄にした筒状体を本体にし、その足掛部の両端間にある開放箇所を足入れ口にし、その足掛部の先端と基端付近の内側壁部に筒内に通じる開口を夫々設け、その足掛部の筒内に、基端開口を出入口にして突出・後退し、先端部の先端開口への進入と基端開口への戻りにより足入れ口の閉鎖と開放を行える閉鎖用の円弧棒状体を収容してなる防犯用長柄付き捕獲具であって、上記柄の筒内に一端を固着した引張りばねを収容し、その引張りばねの他端を足掛部と柄の筒内に収容した連結用ばねの一端に結合し、その連結用ばねの他端を足掛部に収容した閉鎖用円弧棒状体の基端部寄りの部分に固着し、その足掛部に、引張りコイルばねの引張力に抗し、足入れ口を開放して閉鎖用円弧棒状体をロックし、その足掛部に足が掛かったときにロックが外れ、閉鎖用円弧棒状体にて足入れ口を閉鎖する足入れ口開閉操作手段を備え付けることを特徴とする防犯用長柄付き捕獲具。
【請求項２】
足入れ口開閉操作手段として、足掛部の中央付近の外側に筒状枠体を嵌め、その筒状枠体の内径を足掛部の足入れ用空間の径方向への一定範囲の移動を可能な長さにし、その筒状枠体の外側壁部の内面に、足掛部の外側壁部に設けた支持用開口を挿通して内部に達する係止用突起を設け、その係止用突起を足掛部の足入れ用空間の径に沿う内方への筒状枠体の移動時に、その足掛部の足入れ口を開放状態にした連結用ばねの受け穴に嵌まり、その足掛部の足入れ用空間の径に沿う外方への筒状枠体の移動時に、その受け穴から抜ける長さにした足入れ口開閉操作具を用いることを特徴とする請求項１記載の防犯用長柄付き捕獲具。
【請求項３】
連結用板ばねに、足掛部の足入れ口を閉鎖している閉鎖用円弧棒状体を操作して、その足入れ口を開放する操作用レバーを突設し、その操作用レバーを柄の外側壁部に設けたスリット状のスライド用開口を挿通し、その操作用レバーの先端部付近を外部に突出することを特徴とする請求項１又は２記載の防犯用長柄付き捕獲具。
【発明の詳細な説明】
【技術分野】
【０００１】
本発明は、犯人等の捕獲に適する防犯用の長柄付き捕獲具に関する。
【背景技術】
【０００２】
近年、不況の影響や国際化に伴う外国人の流入等により都会、田舎にかかわらず全国的に金融機関、コンビニエンスストア、パチンコ店、住宅等を襲う強盗等の凶悪犯罪が多発している。これ等の犯罪に対し、一般人には刃物等を振り回す犯人に対し対処するよい方法がなく、木刀を用意しておくことぐらいしかできない。しかも、犯人に対し木刀等で立ち向かっても逆襲されて刺されたり、取り押さえることができず逃げられてしまったりする。その際、犯人を取り押さえるには犯人の身体に抱き付いて倒す等、相当接近しなければならない。
【０００３】
しかし、犯人に立ち向かうにしろ、犯人を取り押さえるにしろ犯人に接近し過ぎるのは危険である。そこで、長柄付きの捕獲具を使用して犯人に立ち向かい、犯人を取り押さえるのが賢明となる。このような長柄付きの捕獲具として、本出願人は先に弾力性を有するワイヤーの一端部を筒状長柄の先端部に固定し、そのワイヤーの他端部を長柄の先端部開口から挿入して、その長柄内にワイヤーの他端部に連なる部分を必要長さ収容し、或いはそのワイヤーの両端部を長柄の先端部開口から挿入して、その長柄内にワイヤーの両端部に連なる部分を共に必要長さ収容し、その長柄の先端部から径が可変自在なワイヤーループを突出し、長柄の後部管壁に長柄の長手方向に沿わせてスリット状のスライド用開口を設け、そのスライド用開口に複数のストッパー用凹所を分散配設し、更にそのスライド用開口に長柄内に収容したワイヤーの先端部又は両端部を外部から操作してワイヤーループの径を変える操作レバーの基部を嵌めて備え付けたものを提示した。
【０００４】
【特許文献１】特願２００１−１０４１８０
【発明の開示】
【発明が解決しようとする課題】
【０００５】
しかしながら、この長柄付き捕獲具は犯人に使用する場合、ワイヤーループの径を選び、そのワイヤーループを犯人の身体の一部分に嵌めた後、操作レバーをスライド用開口に沿って移動させ、そのワイヤーループを絞って径を縮小し、更に操作レバーを任意のストッパー用凹所に嵌めて固定する等の手動による操作を必要とする。それ故、取り扱い難く、犯人捕獲時の労力的負担が大きくなる。又、ワイヤーループは細いので、犯人の首に嵌まると、命に危険があったりするので、その注意をする必要もある。
【０００６】
本発明は、このような従来の問題点に着目してなされたものであり、柄に大きな支持力を与え易く、取り扱い易くて、犯人捕獲時の労力的負担を小さくし、犯人の命に危険がない防犯用長柄付き捕獲具を提示することを目的とする。
【課題を解決するための手段】
【０００７】
上記目的を達成するために、本発明による防犯用長柄付き捕獲具は、先端部付近を円弧状に曲げて、足入れ用の内部空間を有する足掛部を形成し、その他の部分を柄にした筒状体を本体にし、その足掛部の両端間にある開放箇所を足入れ口にし、その足掛部の先端と基端付近の内側壁部に筒内に通じる開口を夫々設け、その足掛部の筒内に、基端開口を出入口にして突出・後退し、先端部の先端開口への進入と基端開口への戻りにより足入れ口の閉鎖と開放を行える閉鎖用の円弧棒状体を収容する。
【０００８】
そして、上記柄の筒内に一端を固着した引張りばねを収容し、その引張りばねの他端を足掛部と柄の筒内に収容した連結用ばねの一端に結合し、その連結用ばねの他端を足掛部に収容した閉鎖用円弧棒状体の基端部寄りの部分に固着し、その足掛部に、引張りばねの引張力に抗し、足入れ口を開放して閉鎖用円弧棒状体をロックし、その足掛部に足が掛かったときにロックが外れ、閉鎖用円弧棒状体にて足入れ口を閉鎖する足入れ口開閉操作手段を備え付ける。
【０００９】
又、上記足入れ口開閉操作手段として、足掛部の中央付近の外側に筒状枠体を嵌め、その筒状枠体の内径を足掛部の足入れ用空間の径方向への一定範囲の移動を可能な長さにし、その筒状枠体の外側壁部の内面に、足掛部の外側壁部に設けた支持用開口を挿通して内部に達する係止用突起を設け、その係止用突起を足掛部の足入れ用空間の径に沿う内方への筒状枠体の移動時に、その足掛部の足入れ口を開放状態にした連結用ばねの受け穴に嵌まり、その足掛部の足入れ用空間の径に沿う外方への筒状枠体の移動時に、その受け穴から抜ける長さにした足入れ口開閉操作具を用いると好ましくなる。
【００１０】
又、上記連結用板ばねに、足掛部の足入れ口を閉鎖している閉鎖用円弧棒状体を操作して、その足入れ口を開放する操作用レバーを突設し、その操作用レバーを柄の外側壁部に設けたスリット状のスライド用開口を挿通し、その操作用レバーの先端部付近を外部に突出するとよい。
【発明の効果】
【００１１】
本発明の効果として、請求項１記載の発明によれば、先端部付近を円弧状に曲げて、足入れ用の内部空間を有する足掛部を形成し、その他の部分を柄にした筒状体を本体にし、柄と一続きの筒状体にした足掛部の筒内に閉鎖用円弧棒状体が収容されているため、取り扱い易くなり、柄を長柄にすると、柄に大きな支持力を与えることができる。それ故、刃物等を振り回す犯人に対しても、遠くから犯人を叩き、払い、突く等の攻撃を加え、有利な状態で安全に立ち向かって犯人を撃退できる。
【００１２】
そして、攻撃中に或いは逃げようとする犯人の足首に足掛部を掛けると、その足掛部に備え付けられている足入れ口開閉操作手段が働いて、閉鎖用円弧棒状体のロックが外れ、その円弧棒状体にて足入れ口を閉鎖できる。そこで、犯人の足首を捕えて引き倒し押し付ける等して、身体の自由を奪って攻撃や逃亡を防止できる。それ故、犯人捕獲時の労力的負担が小さくなり、犯人の生命に危険を及ぼすことがない。
【００１３】
又、請求項２記載の発明によれば、犯人の足首に足掛部が掛かると、その足首に押されて、筒状枠体が足掛部の足入れ用空間の径に沿って外方に移動し、その筒状枠体に設けた係止用突起が連結用ばねの受け穴から抜ける。すると、閉鎖用円弧棒状体に対するロックが外れるため、ばねの引張力を受ける閉鎖用円弧棒状体の先端部が足掛部の基端開口から出て先端開口に嵌まり、足入れ口を閉鎖できて、足入れ用空間に嵌まった犯人の足首を簡単に捕えることができる。
【００１４】
又、その足掛部を犯人の足首から外す際には、閉鎖用円弧棒状体をばねの引張力に抗して足掛部の筒内に引き戻して収容し、筒状枠体を足掛部の足入れ用空間の径に沿って内方に移動して筒状枠体に設けた係止用突起を連結用ばねの受け穴に嵌める。すると、その係止用突起にて連結用ばねを固定し、更にその連結用ばねにて閉鎖用円弧棒状体をロックできて、足入れ口を簡単に開放できる。
【００１５】
又、請求項３記載の発明によれば、足入れ口の閉鎖時に柄の基端側に移動している操作用レバーを握り、その操作用レバーを引張りばねの引張力に抗し、スリット状開口に沿って柄の先端側にスライドさせると、その操作用レバーと一体の連結用ばねにて閉鎖用円弧棒状体を足掛部の筒内に引き戻して収容し、足入れ口を開放して閉鎖用円弧棒状体を簡単にロックできる。
【発明を実施するための最良の形態】
【００１６】
以下、添付の図１〜６を参照して、本発明の実施の最良形態を説明する。
図１は本発明を適用した防犯用長柄付き捕獲具の足掛部開放時における要部を断面で示す正面図、図２はその足掛部の両端付近を断面で示す平面図である。この防犯用長柄付き捕獲具１は強度を大きくするため、全体をステンレス等の金属製にする。そして、先端部付近を円弧状に曲げて足掛部２を形成し、その他の部分を直線状の柄３にした筒状体を本体４として用いる。その際、足掛部２を例えば２４０度に相当する円弧にし、その足掛部２により囲まれる内部を足入れ用空間５として、その径を足首の太さに合せて決定する。又、その足掛部２の両端間にある１２０度に相当する開放箇所６を足入れ用空間５への足入れ口にする。
【００１７】
そこで、足掛部２の先端開口７とほぼ相対する基端付近の内側壁部に開口８を設ける。又、足掛部２の筒内にその足掛部２とほぼ等しい長さを有し、足掛部２の内径のほぼ２分の１の外径を有する足入れ口閉鎖用の円弧棒状体９を収容する。すると、閉鎖用円弧棒状体９を足掛部２の基端開口８を出入口にして突出・後退させ、その先端部１０の先端開口７への進入と基端開口８への戻りにより、足入れ口６の閉鎖と開放を行える。
【００１８】
又、柄３にはその筒内に、一端を固着した引張りコイルばね１１を収容する。その際、柄３の内径より僅かに短い外径を有する短管１２を用い、その短管内に掛け渡して固着した止め部材１３に引張りコイルばね１１の一端を固着した後、その短管１２を柄３の内部の適切な位置に固着する。又、その引張りコイルばね１１の他端を足掛部２と柄３の筒内に収容した連結用板ばね１４の一端に結合する。又、その連結用板ばね１４の他端を足掛部２に収容した閉鎖用円弧棒状体９の基端部１５寄りの部分にねじ１６を用いて固着する。
【００１９】
そして、足掛部２に引張りコイルばね１１の引張力に抗し、足入れ口６を開放して閉鎖用円弧棒状体９をロックし、その足掛部に足が掛かったときにロックが外れ、閉鎖用円弧棒状体９にて足入れ口６を閉鎖する足入れ口開閉操作手段を備え付ける。その際、足入れ口開閉操作手段として、足入れ口開閉操作具１７を用いるとよい。この足入れ口開閉操作具１７では足掛部２の中央付近の外側に筒状例えば４角筒状の枠体１８を嵌めて用い、その筒状枠体１８の内径を足掛部２の足入れ用空間５の径方向への図３の矢印で示す一定範囲の移動が可能な長さにする。なお、筒状枠体は円筒状にすること等もできる。
【００２０】
又、その筒状枠体１８の外側壁部の内面に、足掛部２の外側壁部に設けた支持用開口１９を挿通して内部に達する係止用突起２０を設ける。その際、筒状枠体１８の外側壁部に例えば貫通穴を設け、その貫通穴に頭付きピンのピン部を挿通して固着し、そのピン部を係止用突起２０として用いる。又、その係止用突起２０を足掛部２の足入れ用空間５の径に沿う内方への筒状枠体１８の移動時に、その足掛部２の足入れ口６を開放状態にした連結用板ばね１４の貫通受け穴２１に嵌まり、その足掛部２の足入れ用空間５の径に沿う外方への点線で示す筒状枠体１８の移動時に、その受け穴２１から抜ける長さにする。
【００２１】
このような足入れ口開閉操作具１７を用いる場合、連結用板ばね１４の受け穴２１に係止用突起２０が嵌まった時に、その受け穴２１の近傍を支えるため、その連結用板ばね１４で操作する閉鎖用円弧棒状体９の外側壁面の対応位置に、係止用突起２０の左右に配置されるように選定して、先端が曲面状に突出する円錐状の突起２２(２２ａ、２２ｂ)を夫々設ける。すると、連結用板ばね１４と閉鎖用円弧棒状体９の外側壁面との間に円錐状突起２２を間隔形成用部材として介在し、両者間に必要な間隔を設定できる。それ故、係止用突起２０の先端部付近を受け穴２１に深く進入でき、その係止用突起２０の側面に連結用板ばね１４から引張りコイルばね１１の引張力に起因する押圧力も強く働くので、係止用突起２０が簡単に抜けなくなり、閉鎖用円弧棒状体９を良くロックできる。なお、このような間隔形成用の突起は連結用板ばねの内側面に設けてもよい。
【００２２】
そこで、足掛部２の足入れ口６を閉鎖している閉鎖用円弧棒状体９を操作して、その足入れ口６を開放するため、図４に示すように連結用板ばね１４に操作用レバー２３を突設する。そして、その操作用レバー２３を柄３の外側壁部に、その柄３の長手方向に沿わせて設けたスリット状のスライド用開口２４を挿通させて、その操作用レバー２３の先端部付近を外部に突出する。すると、その操作用レバー２３を柄３の基端側からスリット状開口２４に沿って柄３の先端側にスライドさせて移動させることにより、閉鎖用円弧棒状体９を足掛部２内に引き戻して収容できる。しかも、その収容時に足入れ口開閉操作具１７を足掛部２の足入れ用空間５の径に沿う内方に移動し、係止用突起２０を受け穴２１に嵌めると、足入れ口６を開放して閉鎖用円弧棒状体９を簡単にロックできる。
【００２３】
このような柄付き捕獲具は柄３の部分を長くし、全体の長さを例えば１８０ｃｍ程にすると、長柄付き捕獲具として使用することができる。しかし、柄３の部分が長く、長さが固定状態になっていると、保管、運搬等の取り扱いに不都合がある。そこで、本体４の柄３は短くし、その基端側に長さ調節用柄２５を繋ぎ、一定範囲で長さ調節を自在に行えるようにする。そして、例えば最長で１８０ｃｍ、最短で９３ｃｍ程に調節可能にする。すると、長柄付き捕獲具１が完成する。
【００２４】
この長柄付き捕獲具１を防犯用に使用する場合、使用者に応じた長さに引き伸ばし、長さを固定する。すると、柄３と一続きの筒状体にした足掛部２の筒内に、閉鎖用円弧棒状体９が収容されているため、取り扱い易くなり、長柄３、２５にすることによって足掛部２に大きな支持力を与え易くなる。それ故、刃物等を振り回す犯人に対しても、有利な状態で安全に立ち向かって犯人を撃退できる。
【００２５】
そして、攻撃中に或いは逃げようとする犯人の足首に掛けると、その足首にて図５に示すように筒状枠体１８が押されて、足掛部２の足入れ用空間５の径に沿って外方に移動し、その筒状枠体１８に設けた係止用突起２０が連結用板ばね１４の受け穴２１から抜ける。すると、その連結用板ばね１４から及んでいる閉鎖用円弧棒状体９のロックが外れ、引張りコイルばね１１から引張力を受ける閉鎖用円弧棒状体９が、図６に示すように足掛部２の基端開口８から出て、その先端部１０が先端開口７に嵌まり、足入れ口６を簡単に閉鎖できる。その際、操作用レバー２３は連結用板ばね１４と共に柄３の基端側に移動する。それ故、足掛部２の足入れ用空間５に嵌まる犯人の足首を捕えて、閉鎖用円弧棒状体９が簡単に戻らなくなる。
【００２６】
そこで、長柄３、２５から足掛部２に力を加えて、犯人を引き倒し押し付ける等して、身体の自由を奪って攻撃や逃亡を防止できる。それ故、犯人捕獲時の労力的負担が小さくなり、足掛部２にて犯人の足首を捕えるだけであるから、犯人の生命に危険を及ぼすことがない。その後、足掛部２を犯人の足首から外す際には、操作用レバー２３を握り、引張りコイルばね１１の引張力に抗して、その操作用レバー２３をスリット状開口２４に沿わせ、柄３の先端側にスライドさせて移動する。すると、連結用板ばね１４を介して、閉鎖用円弧棒状体９を足掛部２の筒内に引き戻して収容できる。そこで、足入れ口開閉操作具１７の筒状枠体１８を手で持ち、足掛部２の足入れ用空間５の径に沿って内方に移動させる。すると、その筒状枠体１８に設けた係止用突起２０を連結用板ばね１４の受け穴２１に嵌めることができる。それ故、閉鎖用円弧棒状体９を簡単にロックできて、足入れ口６を開放できる。
【図面の簡単な説明】
【００２７】
【図１】本発明を適用した防犯用長柄付き捕獲具の足掛部開放時における要部を断面で示す正面図である。
【図２】同足掛部開放時における足掛部の両端付近を断面で示す平面図である。
【図３】同足掛部に備え付けた足入れ口開閉操作具の足掛部開放時における操作状態を示す要部断面図である(図１の部分拡大図)。
【図４】同長柄に備え付けた操作用レバーの足掛部開放時におけるスライド用開口挿通状態を示す要部断面図である。
【００２８】
【図５】同足入れ口開閉操作具による足掛部閉鎖動作の開始直後の状態を示す要部断面図である。
【図６】同長柄付き捕獲具の足掛部閉鎖時における要部を断面で示す正面図である。
【符号の説明】
【００２９】
１…長柄付き捕獲具  ２…足掛部  ３、２５…柄  ４…本体  ５…足入れ用空間  ６…足入れ口  ７…先端開口  ８…基端開口  ９…閉鎖用円弧棒状体  １０…先端部  １１…引張りコイルばね  １４…連結用板ばね  １５…基端部  １７…足入れ口開閉操作具  １８…筒状枠体  １９…支持用開口  ２０…係止用突起  ２１…受け穴  ２２…間隔形成突起  ２３…操作用レバー  ２４…スライド用開口
【図１】
2005042997.tif 000003
【図２】
2005042997.tif 000004
【図３】
2005042997.tif 000005
【図４】
2005042997.tif 000006
【図５】
2005042997.tif 000007
【図６】
2005042997.tif 000008